(57)【特許請求の範囲】
【請求項１】
股下部に限定的に適用される内装部と股下部および脚部を含んで広域的に適用される外装部との組み合わせからなり、該内装部は吸収体を含むパッド体構成であり、また該外装部は着用手段を備えるか或いは着用形状に構成されたバックシートからなり、上記の内装部および外装部を取付し易くするために内装部の吸収体に碁盤目状にエンボスを施し、更に筋状エンボスを長手方向に比べ幅方向に密に配設させることにより曲げ強度を長手方向より幅方向に強くしたものを用い、外装部の内面に内装部を着脱自在にしかも長手方向位置調整可能に装着したことを特徴とする紙おむつ。
【請求項２】
内装部は身体側の表面シートと中間の吸収体と衣料側の防漏シートからなるパッド体構成である請求項１記載の紙おむつ。
【請求項３】
内装部に用いる取付手段に加えて外装部にも取付手段を用い、これが外装部の長手方向に付設した弾性部材の伸張力を用いて内装部を弾性拘束するものである請求項１または２記載の紙おむつ。
【発明の詳細な説明】
【０００１】
【発明の属する技術分野】
本発明は着脱可能な吸収体を含む紙おむつに関する。
【０００２】
【従来の技術】
紙おむつは、着用時に肌に接する表面材、排泄物を吸収・保持する吸収体、排泄物の衣類への浸透を防止する防漏シート、伸縮性を付与する弾性部材等をホットメルト接着剤等で接合し一体化にして構成され、ファスナー手段をもちいて着用される。一体化されていることで数段階のサイズ（例えばＭ，Ｌ，ＬＬ）やファスナー手段の固着位置以外に利用者の選択の余地は限られ、着用者の性別や使い方に応じた吸収体の位置調整は困難であり、ひいては着用者の快適性を損なうこととなっていた。また完全パンツタイプも同様である。
【０００３】
さらに、フラットやパッドタイプの紙おむつでは、位置調整が可能ではあるが、下着や他の紙おむつとの併用時に嵩張り、またこれらとの固定等が容易ではなく、使用者の手間が増えることから、簡便に使用できかつ快適な紙おむつが求められていた。また近年、環境意識の高まりから資材削減や廃棄物の削減が求められており、これについても対応が望まれていた。
【０００４】
【発明が解決しようとする課題】
本発明はこの従来の紙おむつにおいて着用者の性別や使い方に応じて吸収体の位置調整が困難であったという問題点を解消し、また資材削減や廃棄物の削減に有効に対応しうる紙おむつ製品を提供することを目的としてなされたものである。
【０００５】
【課題を解決するための手段】
本発明の紙おむつは基本的には内装部と外装部とからなっていて、外装部の内面に内装部を着脱自在にしかも長手方向位置調整可能に装着した構成を採っている。
【０００６】
本発明の内装部は股下部に限定的に適用される吸収体を含むパッド構成であり、通常身体側の表面シートと中間の吸収体と衣料側の防漏シートからなっている。
【０００７】
本発明の外装部は股下部および脚部を含んで広域的に適用されるもので、おしめとして着用者が着用できる着用手段を備えるか、パンツ等の着用形状に構成されているバックシートである。
【０００８】
本発明の外装部の内面に内装部を着脱自在かつ長手方向位置調整可能に固定するための取付手段は、外装部の長手方向に付設した弾性部材の伸張力や雄雌部材を備えた機械的固定あるいは粘着剤等を用いて行うことができる。
【０００９】
上記の外装部の内面に内装部を固定するための第1の取付け手段は、外装部の長手方向に付設した弾性部材の伸張力を用いて内装部を弾性拘束する構成である。
【００１０】
この第1の取付手段のように外装部の長手方向に弾性部材を付設する場合、この弾性部材により外装部の内面に内装部の長手方向両側線が係合される長手方向のポケット状凹みを形成し、このポケット状凹み内に該内装部を着脱可能にしかも長手方向位置調整可能に収容する構成をとることができる。
【００１１】
この第１の取付手段のように弾性部材の伸張力を利用する場合には、内装吸収体の筋状エンボス等を長手方向に比べ巾方向により多く配向させることにより、曲げ強さを長手方向より巾方向に強くすることで固定し易くすることができる。
【００１２】
上記の外装部の内面に内装部を固定するための第２の取付手段は、外装部および内装部に夫々備えた雄雌部材により機械的に固定する構成である。
この機械的固定にはホック、スナップ、ファスナー、ボタン等の任意の手段によることができる。
【００１３】
上記の外装部の内面に内装部を固定するための第３の取付手段は、内装部および外装部のいずれか１方もしくは双方に設けた粘着剤もしくは接着剤によって粘着固定もしくは接着固定する構成である。
【００１４】
着用手段を備えるか或いは着用形状に構成された紙おむつは通常脚部廻りの弾性部材入りのレッグギャザーによる外側の横方向の液漏れ防止手段とその内側に対設する弾性部材入りの立体ギャザーによる内側の横方向の液漏れ防止手段を備えている。
【００１５】
本発明の場合レッグギャザーは外装部に設けられるが、立体ギャザーは内装部に設ける場合と外装部に設ける場合とがあり、立体ギャザーを外装部に設けた場合には、この立体ギャザーを前出の第１の取付手段として利用することができて有利である。
【００１６】
本発明の紙おむつは内装部と外装部とのセパレート方式であり、内装部は着用者の排泄毎に交換されるが、外装部は排泄物や汗等で汚れるまで繰返し使用可能であるので、取換頻度の高い内装部に排棄処理用テープを設ける構成とすれば介護者等の手間を軽減し、かつ排棄を整然と迅速に処理できる。
【００１７】
また本発明の紙おむつは交換頻度の高い内装部と交換頻度の低い外装部との組合せであるので、内装部と外装部とを夫々別個に上記の交換頻度に比例した数量分だけ夫々折畳み集積し、これを上下２段に取出口を形成しうる１つの包装袋内に上下段状に収容する包装形態に構成することができる。
【００１８】
かくすることにより内装部と外装部のパック詰め包装は１つの包装袋で済むので、使用者側の利更性の面のみならず、販売流通の面でも有利である。
【００１９】
本発明における内装部（パッド体）と外装部（本体）との組合せとしては次の場合があげられる。
0004433352.tif 000002
【００２０】
また本発明における内装部（パッド体）および外装部（本体）の代表的構成としては次の場合があげられる。
▲１▼パッド体の構成    表面シート＋吸収体＋バックシート
▲２▼本体の構成        バックシートのみ（但し、ポリフィルムあるいは不織布の単層又はポリフィルムと不織布の２層以上の貼り合わせ等）
【００２１】
以下に本発明と図面に示す実施例によって説明するが、これは単に例示のためであって本発明を限定するものではない。
【００２２】
【実施例】
[実施例１](弾性部材による内装部の固定)
図１および図２に示すように砂時計様の展開形状をもつバックシートからなる外装部(１)と、この外装部(１)の面内で左右中央に長手方向に重ねて配置されるパッド状の内装部(２)とからなっている。
そこで外装部(１)は前後中央の左右両側の脚部に対応するくびれ部に沿って弾性体を取付けたレッグギャザー(３)(３)を形成しているが、このレッグギャザー(３)(３)の内側に沿って長手方向に延びる左右のひだ状(段状)の折重ね部を形成すると共にこのひだ状折重ね部の上部辺縁に弾性部材(４)(４)を取付けてこの折重ね部を長手方向に延びる左右のポケット帯(５) (５)に形成する。
尚図６はポケット帯(４)(４)の前後を閉じているギャザーであり、又(７)は背側の左右を夫々腹側の左右に係合して外装部(１)をパンツ形状に保つための着脱自在なファスナーである。
他方、内装部(２)は透水性の表面シート(８)、中間の吸収体(９)および裏側の防漏シート(１０)からなっていて、内装部(２)の吸収体(９)の左右両側に沿って立体ギャザー(１１)(１１)が立ち上げられている。
そこで内装部は(２)は、外装部(１)の左右のポケット帯(４)(４)間に挿入され、内装部(２)の防漏シート(１０)の左右両側が左右のポケット帯(４)(４)に係合しその結果内装部(２)は弾性部材(４)(４)によって弾性的に拘束されて外装材(１)の面上で前後方向に位置調整可能に装着されている。
【００２３】
[実施例２](雄雌部材による内装部の固定)
図３および図４に示すように平面形状の外装部(１)の左右のレッグギャザー(３)(３)間に少くとも左右１組の雄雌部材(１２)を用いて内装部(２)を着脱自在に取付けている。その際外装部(１)および内装部(２)に相対応して取付ける雄雌部材(１１)を外装部(１)もしくは内装部(２)のいずれか一方に長手方向に間隔を置いて段状に取付ておくことにより内装部(２)の外装部(１)での取付け位置を前後方向に位置調整可能である。
【００２４】
[実施例３](粘着剤による内装部の固定)
図５および図６に示すように平面形状の外装部(１)およびパット構造の内装部(２)のいずれか一方に粘着剤(１２’)を塗工しておく。これにより内装部(２)を外装部(１)の面内で所定の位置に固定することができる。この場合図７に示すように内装材(２)の裏側に粘着剤(１２’)を塗工すると共にこの粘着剤(１２’)を剥離紙(１３)でカバーしておけば、内装部(２)の使用時に剥離紙(１３)を剥がしその粘着剤(１２)を用いて外装部(１)の所定位置に長手方向位置調整可能にしかも着脱自在に装着できる。
【００２５】
[実施例４]
図８に示すように外装部(１)のレッグギャザー(３)(３)の内側に立体ギャザー(１４)(１４)を立て、この立体ギャザー(１４)(１４)間で外装部(１)の面上にパッド構造の内装部(２)をカットする。
この場合、内装部(２)は外装部(１)の立体ギャザー(１４)(１４)によって左右を弾性的に拘束された状態で前後方向位置調整可能に装着される。
内装部(２)は表面レート、吸収体および防漏シートからなるプレーンな構造を提することができる。
【００２６】
[実施例５]
図９に示すように平面形状の外装部(１)のレッグギャザー(３)(３)の内側に前後方向に延びる左右直線状の固定部材(１５)(１５)を取付けた例で、この固定部材は前後両端のみを外装部に固定し中間をフリーの状態とした弾性部材とすることができる。かくすることにより固定部材(１５)(１５)間の幅よりも広目のパット構造の図１０、図１１に図示される内装部は固定部材に弾性拘束されて長手方向位置調整に外装部(１)の面上に着脱自在に装着することができる。
図１０および図１１に示される内装部(２)は図２、４、６に示したものと同様に表面に左右の立体ギャザー(１１)(１１)を立てた構造であり、吸収体(９)の面には碁盤目状にエンボス加工(１６)が配設されており、この縦横配設密度の大小により長さ方向および巾方向の曲げ強さを調節することができる。(１６’)は横方向に密に配設した筋状エンボスでこれにより吸収体(９)の曲げ強さを長さ方向よりも幅方向に強く内装部(２)を外装部(１)に取り付け易くしている。
【００２７】
[実施例６]
本例は外装部および内装部を１つの包装紙に集積包装したした包装形態を示している。
図１２において角筒状の包装紙(１７)の正面には上下２段に取出口形成用のミシン目(１８)(１８’)が施されている。包装紙(１７)の下段には外装部が横方向に多数枚上段には内装部が同じく横方向に多数重ね合せて集積されている。
そこで上下段のミシン目(１８)(１８’)を開いて形成した開口部より内装部およびまたは外装部を夫々取出し実施例１〜６の手法に従って内装部および外装部を組合せ紙おむつとして使用することができる。
【００２８】
[実施例７]
本例は内装部に排棄処理用テープを設けた例で、図１３に示すように内装部(２)の防漏シート側の長手方向端部に、排棄処理用テープ(２０)の一端を固定し、そのテープ内面の接着面を内側にして２つ折り等して折り込んである。
この内装部(２)の汚染廃棄時には図１４に示すように内装部(２)をテープ(２０)の取付側とは反対側の長手方向端部から表面シートを内側にしてロール巻きし、折り込んであるテープ(２０)を図示のように展張状態(２０’)としてその展張内面をロール巻きした防漏シート上に貼着固定することにより内装部(２)をロール巻きのコンパクトタイプとして廃棄できる。
【００２９】
【発明の効果】
本発明によればバックシート構成の外装体とパット構成の内装体の組合せであるので、嵩張ることなく通常の紙おしめと同様の着用感が得られる。また外装部の内面に内装部を着脱自在にしかも長手方向位置調整可能に装着しているので、使用者の性別や使い方に応じて吸収体の位置の微調整が可能で、漏れにくく着用感に優れている。また内装部と外装部のセパレート式の組合せ体であるので外装部は排泄物や汗で汚れるまで繰り返し使用が可能で、紙おしめが排泄物で汚れたとき、軽度の汚れの場合に内装部を取外し替えの内装部を取付けて着用することができ、廃棄物の削減が図られる。
かくして本発明によれば▲１▼フィット性、▲２▼快適性、▲３▼資源保護、▲４▼廃棄物の削減および▲５▼消費者の支出削減を図ることができる。
【図面の簡単な説明】
【図１】    本発明の実施例を示す紙おしめの内側展開図。
【図２】    図１のＸ―Ｘ断面図。
【図３】    本発明の実施例２を示す紙おしめの内側展開図。
【図４】    図３のＹ−Ｙ断面図。
【図５】    本発明の実施例３を示す紙おしめの内側展開図。
【図６】    図５のＺ−Ｚ断面図。
【図７】    図５および図６における内装部の説明図。
【図８】    本発明の実施例４を示す紙おしめの断面図。
【図９】    本発明の実施例５を示す外装部展開図。
【図１０】  本発明の実施例５で使用される内装部の平面図。
【図１１】  図１０の内装部の斜視図。
【図１２】  本発明の実施例６を示す包装形態図。
【図１３】  本発明の実施例７を示す内装部の展開的説明図
【図１４】  本発明の実施例７を示す内装部の廃棄状態の説明図
【符号の説明】
１…外装部
２…内装部
３…レッグギャザー
４…弾性部材
５…ポケット帯
６…ギャザー
７…フロスナー
８…表面シート
９…吸収体
１０…防漏シート
１１…立体ギャザー（内装部側）
１２…雄雌部材
１２’…粘着材
１３…剥離紙
１４…立体ギャザー（外装部側）
１５…固定部材
１６…エンボス加工
１７…包装紙
１８…上段取出口形成用ミシン目
１９…下段取出口形成用ミシン目
２０…排棄処理用テープ
２１…同テープの展張状態
【図１】
0004433352.tif 000003
【図２】
0004433352.tif 000004
【図３】
0004433352.tif 000005
【図４】
0004433352.tif 000006
【図５】
0004433352.tif 000007
【図６】
0004433352.tif 000008
【図７】
0004433352.tif 000009
【図８】
0004433352.tif 000010
【図９】
0004433352.tif 000011
【図１０】
0004433352.tif 000012
【図１１】
0004433352.tif 000013
【図１２】
0004433352.tif 000014
【図１３】
0004433352.tif 000015
【図１４】
0004433352.tif 000016